(57)【特許請求の範囲】
【請求項１】
屋内配線に接続された天井引掛シーリングローゼットに掛止すると共に電気接続がなされるアダプターに照明器具を取り付ける照明器具取付装置であって、
当該照明器具取付装置は、アダプターに取着するアダプター取着板、及び、アダプター取着板を内蔵するようにしてアダプター取着板に取着する取付器具本体から構成され、
前記アダプターは、水平方向に出没する上下一組の出没片を左右両側面に備え、
アダプター取着板は、アダプターがその出没片の没入時に嵌まり込む大きさの内穴を備えたリング状をなし、そのリング状部に第１のボルト貫通孔を複数備え、
取付器具本体は、側壁面と側壁面の下端から内側に入り込む鍔部と当該鍔部から下方に連設する筒状収納部と当該筒状収納部底面の照明器具取付部とからなり、当該鍔部には、前記のアダプター取着板における第１のボルト貫通孔と合致する位置に第２のボルト貫通孔が形成されており、前記第２のボルト貫通孔は、その全てに当該貫通孔を始端とする同一の円周方向に沿ったボルトのみがスライド可能な幅の長孔が形成されており、かつ、第２のボルト貫通孔のうちのいくつかがボルトに螺合されるナットが貫通する大穴である
ことを特徴とする照明器具取付装置。
【請求項２】
取付器具本体の下方から取付器具本体の下面に位置するように配され、アダプター取着板に取付器具本体を固定する固定枠板を設け、
当該固定枠板は、取付器具本体の鍔部と同一大のリング状をなしていて、そのリング状部に前記の取付器具本体における第２のボルト貫通孔と合致する位置に同一大の第３のボルト貫通孔が形成されている
ことを特徴とする請求項１に記載の照明器具取付装置。
【請求項３】
アダプター取着板と取付器具本体の鍔部との間にクッション材を介在させた
ことを特徴とする請求項１又は２に記載の照明器具取付装置。
【発明の詳細な説明】
【技術分野】
【０００１】
本発明は、照明器具取付装置に関し、特に天井に照明器具を取り付けるための照明器具取付装置に関する。
【背景技術】
【０００２】
従来、照明器具を天井等へ取り付けるには、下記特許文献１〜３に示されるように、いずれも天井給電側から伸びる電源コネクターと照明器具側から伸びる電源コネクターとを接続した後に、照明器具取付具により照明器具を天井に固定する方式が採用されていた。
【０００３】
下記特許文献１には、ドライバー等の工具を必要とせずに簡単に取り付けることができ、天井面に対する照明器具本体のガタツキや傾きを調整できる照明器具取付装置であって、シーリングローゼットに掛止されるプラグ本体の周面に係止段部を有する引掛プラグ、及び、当該引掛プラグを嵌入する嵌入孔の内周面に径方向に出没自在に設けられた一対の係止部材を備えたアダプタ本体を取り付けた照明器具本体を備え、引掛プラグの係止段部に、アダプタ本体の一対の係止部材が着脱自在に係止されることで照明器具本体が取り付けられ、照明器具本体の外周部の複数箇所に、天井面に対して当接する調整用ネジを配し、調整用ネジにより天井面に対する照明器具本体のガタツキ、照明器具本体の傾きを調整する構造のものが示されている。
【０００４】
下記特許文献２には、大型化を防ぎつつ照明器具の保持強度を向上させる照明器具取付装置であって、引掛シーリングキャップのハウジング上面から上方に突出する係合部を、引掛シーリングボディのハウジング下面に設けられた係合孔に挿入して係合させ、引掛刃と引掛刃用刃受部の嵌合だけでなく係合部と係合孔の係合によっても照明器具を保持することができて保持強度が向上し、引掛シーリングボディに外鍔部を設けていた従来例のように引掛シーリングキャップ並びに引掛シーリングボディが大型化するのを防ぐことができる構造のものが示されている。
【０００５】
下記特許文献３には、照明器具本体をアダプタ−本体に取り付けると同時に正常な状態で係止された場合、電源コネクタは接続可能となり、接続後はスライド部材の動きが規制されるとともにスライド部材と解除突片が連動されているため、完全な取付状態を使用者に確認を促す天井直付け照明器具取付装置であって、天井に装着可能なアダプター本体に照明器具本体と着脱自在に係合する一対の係止部材を出没自在に、且つ、突出方向に付勢して設けると共に前記係止部材の解除突片とスライド部材をテーパー形状で介して連動させ、かつ、スライド部材はスプリングにより常に前記解除突片のテーパー部に摺動可能に当接される構造のものが示されている。
【０００６】
下記特許文献４には、引掛シーリングに取り付けられ、電源コネクターを有するアダプターと、電源コネクターを有する照明器具とを接続するものであって、灯具接続具、可動カバー、天井固定金具、間隔調節ボルト、天井接触金具、及び、弾力性材から構成され、灯具接続具は天井固定金具と適宜の間隔をおいて間隔調節ボルトにより連結され、天井固定金具と天井接触金具との間に弾力性材が挟み込まれ、灯具接続具と天井固定金具との間の間隔から外部へ電源コネクターと電源コネターとを引き出すことが可能とした照明器具取付装置が示されている。
【先行技術文献】
【特許文献】
【０００７】
【特許文献１】特開２００５−３５３３１９号公報
【特許文献２】特開２００８−４７３５８号公報
【特許文献３】特開２０１０−１６５６５０号公報
【特許文献４】特開２０１５−６９７８２号公報
【発明の概要】
【発明が解決しようとする課題】
【０００８】
しかしながら、上記特許文献１〜３に記載のものは、天井給電側から伸びる電源コネクターと照明器具側から伸びる電源コネクターとを接続した後に、照明器具取付具により照明器具を天井に固定する構造のものであるため、照明器具を持ち上げながら天井給電側から伸びる電源コネクターと照明器具側から伸びる電源コネクターとを接続しなければならず、この電源コネクター同士を接続する作業は、高所で行うものであり、かつ、照明器具が重量物となる場合があるため、１人で作業するには片手で照明器具を持ち上げながらもう一方の手で接続作業をしなければならず、作業性が極めて悪いものであった。
【０００９】
また、特許文献４に記載のものは、照明器具を天井に取り付けた後で、天井給電側から伸びる電源コネクターと照明器具側から伸びる電源コネクターとを接続することができる照明器具取付装置であって、１人で照明器具の取り付けを可能としたものであるが、部品点数が多く、そのため取付作業が複雑であるため、作業しにくいという欠点があった。
【００１０】
そこで、本発明者は、鋭意研究を重ね、部品点数を減少させて照明器具の取付作業が容易にできる利点がある上に、照明器具を容易に仮止めすることが可能となり、その状態で天井引掛シーリングローゼット側の電源ケーブルと照明器具側の配線ケーブルとを容易に接続することができる効果があり、したがって、照明器具の取付作業が１人でもさらに容易に行うことが可能となる照明器具取付装置を開発した。
【課題を解決するための手段】
【００１１】
本発明に係る照明器具取付装置は、屋内配線に接続された天井引掛シーリングローゼットに掛止すると共に電気接続がなされるアダプターに照明器具を取り付ける照明器具取付装置であって、当該照明器具取付装置は、アダプターに取着するアダプター取着板、及び、アダプター取着板に取着する取付器具本体から構成され、前記アダプターは、水平方向に出没する上下一組の出没片を左右両側面に備え、アダプター取着板は、アダプターがその出没片の没入時に嵌まり込む大きさの内穴を備えたリング状をなし、そのリング状部に第１のボルト貫通孔を複数備え、取付器具本体は、側壁面と側壁面の下端から内側に入り込む鍔部と当該鍔部から下方に連設する筒状収納部と当該筒状収納部底面の照明器具取付部とからなり、当該鍔部には、前記のアダプター取着板における第１のボルト貫通孔と合致する位置に第２のボルト貫通孔が形成されており、前記第２のボルト貫通孔は、その全てに当該貫通孔を始端とする同一の円周方向に沿ったボルトのみがスライド可能な幅の長孔が形成されており、かつ、第２のボルト貫通孔のうちのいくつかがボルトに螺合されるナットが貫通する大穴であることを特徴とするものである。
【００１２】
以上のように構成したことにより、照明器具取付装置そのものは、アダプター、アダプター取着板、取付器具本体、及び、それらを止定するボルト及びナットのみから構成され、部品点数が少ないため，作業性が向上する。
【００１３】
また、上記の構成に加え、取付器具本体の下方から取付器具本体の下面に位置するように配され、アダプター取着板に取付器具本体を固定する固定枠板を設け、当該固定枠板は、取付器具本体の鍔部と同一大のリング状をなしていて、そのリング状部に前記の取付器具本体における第２のボルト貫通孔と合致する位置に同一大の第３のボルト貫通孔が形成されている構成としてもよい。このように構成した場合には、アダプター取着板と取付器具本体とがより一層強固に固定される。
【００１４】
さらに上記の構成に加え、上記の構成に加えてアダプター取着板と取付器具本体の鍔部との間にクッション材を介在させた構成としてもよい。このように構成した場合には、ナットによる締め付けに対するクッション材の反発により、アダプターに対する取付器具本体の揺動を防ぐことができ、かつ、長ナットの緩みを防止することができる。
【発明の効果】
【００１５】
上記のように照明器具取付装置を構成したことにより、部品点数を減少させて照明器具の取付作業が容易にできる利点がある上に、照明器具を容易に仮止めすることが可能となり、その状態で天井引掛シーリングローゼット側の電源ケーブルと照明器具側の配線ケーブルとを容易に接続することができる効果がある。したがって、照明器具の取付作業が１人でもさらに容易に行うことが可能となる。
【図面の簡単な説明】
【００１６】
【図１】本発明の実施例であって、照明器具取付装置を使用して天井に照明器具を取り付けた状態を示す斜視図である。
【図２】本発明の実施例であって、天井に取り付けられた引掛シーリングローゼットにアダプターを取り付ける状態を示す組立説明図である。
【図３】本発明の実施例であって、アダプター取着板にボルト及びナットを取り付ける状態を示す分解斜視図である。
【図４】本発明の実施例であって、天井に取り付けたアダプターにアダプター取着板を取り付ける状態を示す組立説明図である（電源ケーブルは省略）。
【図５】本発明の実施例であって、アダプターにアダプター取着板を取り付けた状態を示す組立完成図である（電源ケーブルは省略）。
【図６】本発明の実施例であって、取付器具本体の内部構造を示す一部切欠斜視図である。
【図７】本発明の実施例であって、取付器具本体に固定枠体を挿入して照明器具を取り付ける状態を示す組立説明図である。
【図８】本発明の実施例であって、取付器具本体に固定枠体を挿入して照明器具を取り付けた状態を示す組立完成図である。
【図９】本発明の実施例であって、アダプター取着板に取付器具本体を取り付ける状態を示す分解斜視図である（固定枠板及び照明器具は省略）。
【図１０】本発明の実施例であって、アダプター取着板に取付器具本体を取り付けた状態を示す斜視図である（固定枠板及び照明器具は省略）。
【図１１】本発明の実施例であって、アダプター取着板に対して取付器具本体を回転させて取付器具本体を仮止めし、アダプター側の電源ケーブルと照明器具側の配線ケーブルとを接続する状態を示す斜視図である。
【図１２】本発明の実施例であって、電源ケーブルと配線ケーブルを取付器具本体内に格納し、固定枠板を取り付ける状態を示す組立説明図である。
【図１３】本発明の実施例であって、ナットを締め付けて、取付器具本体をアダプター取着板に固定した取付完成状態を示す斜視図である。
【発明を実施するための形態】
【００１７】
次に本発明の好適な実施例を添付の図面に基づいて詳細に説明する。
【実施例１】
【００１８】
図１において、Ａは照明器具を示し、Ｂは本発明の実施例に係る照明器具取付装置を示す。照明器具Ａは、複数の照明部ａ１と、各照明部ａ１を支持すると共に各照明部の配線コードを通す本体パイプａ２から構成される。照明器具Ａにおける各照明部ａ１の各配線コードは後述する一つの配線ケーブルａ３に集束されて照明器具Ａの本体パイプａ２から上方に伸び出し、その先端に配線コネクターａ４が接続されている。照明器具取付装置Ｂは、後述するアダプターＤに取着されるアダプター取着板１０、アダプター取着板１０に取着される取付器具本体２０、及び、アダプター取着板１０に取付器具本体２０を固定させる固定枠板３０から構成される。
【００１９】
図２に示すように、一般に建屋の天井に配されている屋内配線に接続された天井引掛シーリングローゼットＣ（以下、単に「ローゼットＣ」という）に、ワンタッチで取着されるアダプターＤが掛止される。すなわち、ローゼットＣの係合孔ｃ１にアダプターＤの引掛プラグｄ１を、矢符ａで示すように、嵌め込んでアダプターＤを矢符ｂの方向に回転させることにより、ローゼットＣにアダプターＤが掛止される。当該アダプターＤをローゼットＣに掛止した時点で電気接続がなされ、アダプターＤの下方に接続されている電源ケーブルｄ２に通電される。ｄ３は電源ケーブルｄ２の先端に取り付けられた電源コネクターであり、配線コネクターａ４と接続可能になっている。前記アダプターＤは、水平方向に出没する上下一組の出没片ｄ４、ｄ５を左右両側面に備えており、出没片ｄ４、ｄ５の間に板状体を挟み込むことが可能な構成になっている。
【００２０】
図３に、アダプターＤに取着されるアダプター取着板１０を示す。アダプター取着板１０は、アダプターＤがその出没片ｄ４、ｄ５の没入時に嵌まり込む大きさの内穴を備えたリング状をなしている。
【００２１】
前記アダプター取着板１０は、そのリング状部に同一円周方向に等間隔に４箇所の第１のボルト貫通孔１１ａ、１１ｂ、１１ｃ、１１ｄ（総称する場合には「第１のボルト貫通孔１１」という）を備える。なお、第１のボルト貫通孔１１の個数は必ずしも４箇所でなくてもよい。第１のボルト貫通孔１１ａ、１１ｂ、１１ｃ、１１ｄには、それぞれボルト１２ａ、１２ｂ、１２ｃ、１２ｄ（総称する場合には「ボルト１２」という）が、矢符ｃで示すように、上方から挿通され、各ボルト１２の下方からワッシャー付き六角ナット１３ａ、１３ｂ、１３ｃ、１３ｄを螺合して締め付けることにより各ボルト１２はアダプター取着板１０に固定されている。また、アダプター取着板１０に挿通されたボルト１２ａ、１２ｃには、矢符ｄで示すように、下方から長ナット１４ａ、１４ｃが螺合されている。この長ナット１４ａ、１４ｃはアダプター取着板１０から所定間隔をあけて位置するように緩く螺合されている。
【００２２】
以上のように組み立てたアダプター取着板１０は、図４の矢符ｅで示すように、アダプターＤの下方から挿入し、図５に示すように、アダプターＤにおける上下一組の出没片ｄ４、ｄ５の間にアダプター取着板１０の内穴の周縁が挟み込まれることにより、アダプター取着板１０がアダプターＤに取着される。
【００２３】
図６は、内部構造が視認できるように一部を切欠した取付器具本体２０を示し、取付器具本体２０は、側壁面２１に囲まれる上部収容部２２と、側壁面２１の下端から内側に折曲して入り込む鍔部２３と、鍔部２３の内周縁から下方に連設された下部収容部２７とから構成される。
【００２４】
鍔部２３には、前記のアダプター取着板１０における第１のボルト貫通孔１１と合致する位置に第２のボルト貫通孔２４ａ、２４ｂ、２４ｃ、２４ｄ（総称する場合には「第２のボルト貫通孔２４」という）が形成されており、第２のボルト貫通孔２４は、その全てに第２のボルト貫通孔２４を始端とする同一の円周方向に沿った長孔２５ａ、２５ｂ、２５ｃ、２５ｄ（総称する場合には「長孔２５」という）が形成されていて、第２のボルト貫通孔２４に挿入されたボルト１２が長孔２５内を鍔部２３の周方向にスライド可能になっている。また、第２のボルト貫通孔２４のうちの第２のボルト貫通孔２４ａ、２４ｃは、ボルト１２ａ、１２ｃに螺合された長ナット１４ａ、１４ｃが貫通できる大きさの大穴になっている。なお、アダプター取着板１０に挿通したボルト１２に対して長ナットを螺合する際には、取付器具本体の第２のボルト貫通孔２４のうちの大穴に対応するように螺合しておく。鍔部２３に形成された太長孔は、電源ケーブルｄ２及びその端部の電源コネクターｄ３と配線ケーブルａ３及びその端部の配線コネクターａ４とを出し入れするケーブル出入口２６である。
【００２５】
下部収容部２７は、その内部に電源ケーブルｄ２及びその端部の電源コネクターｄ３と配線ケーブルａ３及びその端部の配線コネクターａ４とを収納しておく箇所である。下部収容部２７の下面は、照明器具Ａの本体パイプａ２を取着する箇所であり、下部収容部２７の下面に本体パイプａ２から伸び出た配線ケーブルａ４を出し入れする配線ケーブル通し孔２８が形成されている。
【００２６】
固定枠板３０は、図７に示すように、取付器具本体２０の鍔部２３と同一大のリング状をなしており、そのリング状部に前記の取付器具本体２０における第２のボルト貫通孔２４と合致する位置に同一大の第３のボルト貫通孔３１ａ、３１ｂ、３１ｃ、３１ｄ（総称する場合には「第３のボルト貫通孔３１」という）が形成されている。すなわち、第３のボルト貫通孔３１のうち、第３のボルト貫通孔３１ａ、３１ｃは、第２のボルト貫通孔２４ａ、２４ｃと同様に大穴になっていて、長ナットが通り抜ける大きさになっている。
【００２７】
固定枠板３０は、そのリング状部の内穴に取付器具本体２０の下部収容部２７が嵌まり込んで、鍔部２３の下面に当接して配置するものである。すなわち、図７に示すように、照明器具Ａの本体パイプａ２から伸び出る配線ケーブルａ３を固定枠板３０の内穴に通し、配線ケーブルａ３を取付器具本体２０における下部収容部２７の下面の配線ケーブル通し孔２８に通してケーブル出入口２６から取付器具本体２０の外部に配線コネクターａ４を抜き出しておき、その状態で、図８に示すように、取付器具本体２０の下部収容部２７の下面に照明器具Ａの本体パイプａ２を取り付けることにより取付器具本体２０に照明器具Ａが取り付けられることになる。この状態においては、固定枠板３０は、固定されておらず、取付器具本体２０の鍔部２３と固定枠板３０との間に隙間があいていて、その隙間から配線コネクターａ４が抜き出てる状態となる。
【００２８】
上記の取付器具本体２０に照明器具Ａを取り付けた状態で、図５をもって説明したように天井に取り付けられたアダプター取着板１０に対して、図９（照明器具Ａは不図示）に示すように、取付器具本体２０を取り付ける。すなわち、まず、片手で取付器具本体２０を持ち上げながら、アダプター取着板１０から垂下するアダプターＤの電源ケーブルｄ２（先端に電源コネクターｄ３が付属）を取付器具本体２０内における鍔部２３に形成したケーブル出入口２６から取付器具本体２０の外部に電源ケーブルｄ２を抜き出す。そして、アダプター取着板１０が取付器具本体２０の内部に収容されるように、矢符ｆで示すように、取付器具本体２０を持ち上げながらアダプター取着板１０に取り付けたボルト１２が取付器具本体２０の鍔部２３に形成した第２のボルト貫通孔２４に挿通させる。具体的には、長ナット１４ａ、１４ｃ付きのボルト１２ａ、１２ｃは、大穴の第２のボルト貫通孔２４ａ、２４ｃに挿通され、ボルト１２ｂ、１２ｄは第２のボルト貫通孔２４ｂ、２４ｄに挿通されて図１０に示す状態となる。なお、このボルト１２を第２のボルト貫通孔２４に通す作業は両手を使用して行うことが可能である。
【００２９】
上記の状態において、取付器具本体２０を、矢符ｇで示す方向に回転させると、アダプター取着板１０は天井に固定されているので、図１１に示すように、ボルト１２はスライドして長孔２５内に侵入し、ボルト１２ａ、１２ｃに予め螺合させた長ナット１４ａ、１４ｃが取付器具本体２０を支承する状態となり、仮止め状態となる。この状態においては、作業者が取付器具本体２０から手を離しても取付器具本体２０が落下しないので、作業者の両手が自由になる。この状態において、図１０に示すように分離している電源コネクターｄ３と配線コネクターａ４とを、図１１に示すように接続し、その後、取付器具本体２０の外部に出ている電源コネクターｄ３付きの電源ケーブルｄ２及び配線コネクターａ４付きの配線ケーブルａ３を取付器具本体２０の鍔部２３に形成したケーブル出入口２６から取付器具本体２０内に押し込んで下部収容部２７に格納する。
【００３０】
そして、図１２に示すように、固定枠板３０を取付器具本体２０の鍔部２３の下面に当接させる。すなわち、矢符ｈで示すように、固定枠板３０における第３のボルト貫通孔３１のうち、大穴の第３のボルト貫通孔３１ａ、３１ｃには予め長ナット１４ａ、１４ｃを螺合したボルト１２ａ、１２ｃを貫通させ、第３のボルト貫通孔３１ｂ、３１ｄにボルト１２ｂ、１２ｄを貫通させて、固定枠板３０を取付器具本体２０の鍔部２３の下面に当接させる。その後に、長ナット１４を螺合していないボルト１２ｂ、１２ｄに対して、矢符ｉで示すように、長ナット１４ｂ、１４ｄを螺合して図１３の状態にする。そして、全ての長ナット１４ａ、１４ｂ、１４ｃ、１４ｄを締め付けることにより、アダプター取着板１０に取付器具本体２０が強固に固定される。詳細にいえば、天井に取り付けられたローゼットＣ、アダプターＤ及びアダプター取着板１０に対して、電源ケーブルｄ２の電源コネクターｄ３と配線ケーブルａ３の配線コネクターａ４を接続すると共に、照明器具Ａを取り付けた取付器具本体２０を固定枠板３０を介して固定することになる。
【００３１】
なお、本実施例においては、取付強度を向上させ、取付器具本体２０の鍔部２３に形成された各孔を覆い隠して見栄えをよくするために、固定枠板３０を使用しているが、この固定枠板３０を使用を省略して、上記と同様の取付方法により天井に取り付けられたローゼットＣ、アダプターＤ及びアダプター取着板１０に対して、電源ケーブルｄ２の電源コネクターｄ３と配線ケーブルａ３の配線コネクターａ４を接続すると共に、照明器具Ａを取り付けた取付器具本体２０を固定することができる。
【００３２】
また、アダプター取着板１０と取付器具本体２０の鍔部２３との間にクッション材を介在させると、長ナットによる締め付けに対するクッション材の反発により、アダプターに対する取付器具本体のぐらつきを防止することができ、また、長ナットの緩み防止ができる利点がある。
【００３３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３４】
Ａ・・・照明器具
ａ１・・照明部
ａ２・・本体パイプ
ａ３・・配線ケーブル
ａ４・・配線コネクター
Ｂ・・・照明器具取付装置
１０・・アダプター取着板
１１ａ、１１ｂ、１１ｃ、１１ｄ・・第１のボルト貫通孔
１２ａ、１２ｂ、１２ｃ、１２ｄ・・ボルト
１３ａ、１３ｂ、１３ｃ、１３ｄ・・ワッシャー付き六角ナット
１４ａ、１４ｂ、１４ｃ、１４ｄ・・長ナット
２０・・取付器具本体
２１・・側壁面
２２・・上部収容部
２３・・鍔部
２４ａ、２４ｂ、２４ｃ、２４ｄ・・第２のボルト貫通孔
２５ａ、２５ｂ、２５ｃ、２５ｄ・・長孔
２６・・ケーブル出入口
２７・・下部収容部
２８・・配線ケーブル通し孔
３０・・固定枠板
３１ａ、３１ｂ、３１ｃ、３１ｄ・・第３のボルト貫通孔
Ｃ・・・引掛シーリングローゼット
ｃ１・・係合孔
Ｄ・・・アダプター
ｄ１・・引掛プラグ
ｄ２・・電源ケーブル
ｄ３・・電源コネクター
ｄ４、ｄ５・・出没片
ａ、ｂ、ｃ、ｄ、ｅ、ｆ、ｇ、ｈ、ｉ・・矢符
【図１】
0006469532.tif 000002
【図２】
0006469532.tif 000003
【図３】
0006469532.tif 000004
【図４】
0006469532.tif 000005
【図５】
0006469532.tif 000006
【図６】
0006469532.tif 000007
【図７】
0006469532.tif 000008
【図８】
0006469532.tif 000009
【図９】
0006469532.tif 000010
【図１０】
0006469532.tif 000011
【図１１】
0006469532.tif 000012
【図１２】
0006469532.tif 000013
【図１３】
0006469532.tif 000014